(57)【要約】【課題】フレキシブルＰ板を固定ドラム下部に配置したコネクタに確実に挿入できることで、回路基板の小型化を実現し、小型化した磁気記録再生装置提供することを目的とする。【解決手段】固定ドラム１１に係合孔１１ａを設け、ホルダ１５に係合孔１１ａに係合する弾力性を持たせた係止用爪部１５ｂと位置決め部１５ｃを設ける。【選択図】  図１
2004178730.tif 000002
【特許請求の範囲】
【請求項１】
磁気テープを案内する固定ドラムと、前記固定ドラムに対し同軸的に回転し、少なくとも一対の磁気ヘッドを有する回転ドラムと、磁気テープへの記録信号、または磁気テープからの再生信号を伝達するフレキシブルプリント基板で構成された回転ヘッドユニットと、前記固定ドラムに保持され前記フレキシブルプリント基板を位置決め保持する保持手段と、前記回転ヘッドユニットを保持するシャーシと、前記シャーシの下部に位置する回路基板と、前記固定ドラムの下部に位置し前記フレキシブルプリント基板が挿入され前記回路基板に半田付けされたコネクタから成り、前記固定ドラムに任意形状の係合孔を設け、前記固定ドラムに設けた任意形状の係合孔に係合する前記保持手段の係止部を、弾力性を有する係止用爪部と位置決め部で構成することを特徴とする磁気記録再生装置。
【請求項２】
固定ドラムの係合孔と保持手段の係止用爪部に半径方向の隙間を設け、前記隙間が外部から見えるよう前記固定ドラムに接する前記保持手段の係止部根元ベース部に切り欠きを設けたことを特徴とする請求項１記載の磁気記録再生装置。
【発明の詳細な説明】
【０００１】
【発明の属する技術分野】
本発明は、ビデオテープレコーダー等に用いることができる磁気記録再生装置に関するものである。
【０００２】
【従来の技術】
従来の磁気記録再生装置は、回転トランスユニットから引き出された記録・再生信号を伝達するフレキシブルプリント基板（以下、フレキシブルＰ板と記す）を位置決め保持するホルダがシャーシに保持される構成を有している。（例えば特許文献１参照）。
【０００３】
以下に従来の磁気記録再生装置について説明する。
【０００４】
図１５は従来のビデオテープレコーダーに用いられる磁気記録再生装置の後部側面図を、図１６は図１６におけるＹ１−Ｙ２の断面図を示すものである。図１５，図１６を説明すると、１は磁気テープ（図示せず）を案内する固定ドラム、２は固定ドラム１に対し同軸的に回転し、少なくとも一対の磁気ヘッド（図示せず）を有する回転ドラム、３は固定ドラム１と回転ドラム２間に設けられ、磁気テープへの記録信号、または磁気テープからの再生信号を伝達する回転トランスユニット（図示せず）から引き出されたフレキシブルＰ板、４は固定ドラム１、回転ドラム２、フレキシブルＰ板３で構成される回転ヘッドユニット、５はフレキシブルＰ板３を位置決め保持し後述するシャーシ６の後部に保持されたホルダ、６は回転ヘッドユニット４及びホルダ５を保持するシャーシ、７はシャーシ６の下部に位置する回路基板、８は回路基板７を保持しシャーシ６の台座となるスペーサー、９はフレキシブルＰ板３が挿入され回路基板７に半田付けされたコネクタで、コネクタは回路基板７の電気回路に電気的に接続され、フレキシブルＰ板３が挿入されることでフレキシブルＰ板３との間で電気的接続がなされる。
【０００５】
以上のように構成された従来の磁気記録再生装置について、以下にその動作について説明する。
【０００６】
磁気ヘッド（図示せず）を含む回転ドラム２が回転することによって、回路基板７→コネクタ９→フレキシブルＰ板３→回転トランスユニット（図示せず）→磁気ヘッド（図示せず）という経路で磁気テープ（図示せず）に映像・音声等の情報が記録される。また、記録済みの磁気テープ（図示せず）であれば、上述した逆の経路で記録情報を再生することができる。
【０００７】
なお、従来の磁気記録再生装置の組立方法については、特許文献１に記載されているので、詳しい説明は省略する。
【０００８】
【特許文献１】
特許第３１４４４１３号公報（第５頁、図２）
【０００９】
【発明が解決しようとする課題】
しかしながら上記の従来の構成では、図１６に示すように、フレキシブルＰ板３を位置決め保持するホルダ５がシャーシ６の後部６ａに保持されることから、フレキシブルＰ板３が挿入されるコネクタ９は、少なくともシャーシ６の後部６ａよりも外側に位置し、回路基板７はコネクタ９を半田付けするスペースをシャーシ６の後部６ａより外側に寸法Ｌ１分確保しなければならず、回路基板７の小型化・磁気記録再生装置の小型化を阻害するという問題点を有していた。
【００１０】
また、回路基板７の小型化を図る目的で、コネクタ９を固定ドラム１の下部に配置するためには、フレキシブルＰ板３を位置決め保持するホルダ５は固定ドラム１で保持しなければならない。この時フレキシブルＰ板３をコネクタ９に確実に挿入することが必要で、フレキシブルＰ板３とコネクタ９の相対的な位置ずれを吸収するために固定ドラム１に対し、ホルダ５の位置自由度を確保することが必要であった。
【００１１】
本発明は上記従来の問題点を解決するもので、フレキシブルＰ板とコネクタの相対的な位置ずれ吸収し、フレキシブルＰ板を確実にコネクタに挿入できることで、フレキシブルＰ板を挿入するコネクタを固定ドラム下部に配置し、回路基板の小型化・磁気記録再生装置の小型化を行うことができる磁気記録再生装置を提供することを目的とする。
【００１２】
【課題を解決するための手段】
この目的を達成するために本発明の磁気記録再生装置は、磁気テープを案内する固定ドラムと、前記固定ドラムに対し同軸的に回転し、少なくとも一対の磁気ヘッドを有する回転ドラムと、磁気テープへの記録信号、または磁気テープからの再生信号を伝達するフレキシブルＰ板で構成された回転ヘッドユニットと、前記固定ドラムに保持され前記フレキシブルＰ板を位置決め保持するホルダと、前記回転ヘッドユニットを保持するシャーシと、前記シャーシの下部に位置する回路基板と、前記固定ドラムの下部に位置し前記フレキシブルＰ板が挿入され前記回路基板に半田付けされたコネクタから成り、前記固定ドラムに任意形状の係合孔を設け、前記固定ドラムに設けた任意形状の係合孔に係合する前記ホルダの係止部は、弾力性を有する係止用爪部と位置決め部から成るという構成を有している。
【００１３】
この構成によって、フレキシブルＰ板とコネクタの相対的な位置がずれても、フレキシブルＰ板をコネクタに確実に挿入することができることにより、フレキシブルＰ板を挿入するコネクタを固定ドラム下部に配置することが可能で、これにより回路基板の小型化・磁気記録再生装置の小型化を行うことができる磁気記録再生装置が得られる。
【００１４】
【発明の実施の形態】
本発明の請求項１に記載の発明は、磁気テープを案内する固定ドラムと、前記固定ドラムに対し同軸的に回転し、少なくとも一対の磁気ヘッドを有する回転ドラムと、磁気テープへの記録信号、または磁気テープからの再生信号を伝達するフレキシブルＰ板で構成された回転ヘッドユニットと、前記固定ドラムに保持され前記フレキシブルＰ板を位置決め保持するホルダと、前記回転ヘッドユニットを保持するシャーシと、前記シャーシの下部に位置する回路基板と、前記固定ドラムの下部に位置し前記フレキシブルＰ板が挿入され前記回路基板に半田付けされたコネクタから成り、前記固定ドラムに任意形状の係合孔を設け、前記固定ドラムに設けた任意形状の係合孔に係合する前記ホルダの係止部は、弾力性を有する係止用爪部と位置決め部から成るという構成としたものであり、フレキシブルＰ板とコネクタの相対的な位置がずれても、フレキシブルＰ板をコネクタに確実に挿入することができることにより、フレキシブルＰ板を挿入するコネクタを固定ドラム下部に配置することが可能で、これにより回路基板の小型化・磁気記録再生装置の小型化を行うことができるという作用を有する。
【００１５】
本発明の請求項２に記載の発明は、固定ドラムの係合孔と保持手段の係止用爪部に半径方向の隙間を設け、前記隙間が外部から見えるよう前記固定ドラムに接する前記保持手段の係止部根元ベース部に切り欠きを設けたという構成としたものであり、ホルダを固定ドラムに装着後、ホルダ以外の部品（例えば固定ドラム等）が傷等の不良で使用できない場合、このホルダを再利用するために容易に
固定ドラムから取り外しができるという作用を有する。
【００１６】
以下、本発明の実施の形態について、図１〜１４を用いて説明する。
【００１７】
（実施の形態１）
図１は本発明の実施の形態１における磁気記録再生装置の後部側面図である。なお、図１において、構成を明確に示すために回転ヘッドユニットやシャーシの一部を切り欠いて描画した。図２は同実施の形態の回転ヘッドユニットとホルダとコネクタと回路基板の分解斜視図で、説明をわかりやすくするために回路基板やシャーシなどの描画は省いてある。図３〜図５は固定ドラムとホルダの係合動作を示す要部側面図で説明をわかりやすくするために係合孔近傍を断面表示した。図６〜図９はホルダが係合した回転ヘッドユニットとコネクタとの係合動作を示す側面図、図１０はフレキシブルＰ板とコネクタとの係合状態を示す断面図で、図１におけるＹ３−Ｙ４部の断面である。図１１〜図１３は図１における矢印Ｙ５方向から見た固定ドラムの要部下面図である。図１４はホルダの全体構成を示す斜視図である。
【００１８】
図において、１１は一対の係合孔１１ａを有し、磁気テープ（図示せず）を案内する固定ドラムで、係合孔１１ａの上端及び下端にはテーパ１１ｂが設けられているが、本実施の形態では係合孔１１ａに対して下方向から係止部１５ａを挿入するので、少なくとも係合孔１１ａの下端にテーパ１１ｂを設けるだけでよい。１２は固定ドラム１１に対し同軸的に回転し、少なくとも一対の磁気ヘッド（図示せず）を有する回転ドラム、１３は固定ドラム１１と回転ドラム１２間に設けられ、磁気テープへの記録信号、または磁気テープからの再生信号を伝達する回転トランスユニット（図示せず）から引き出されたフレキシブルＰ板、１４は固定ドラム１１と回転ドラム１２とフレキシブルＰ板１３とで構成される回転ヘッドユニットである。
【００１９】
１５はフレキシブルＰ板１３を位置決め保持し、固定ドラム１１の係合孔１１ａに係合する一対の係止部１５ａを有する保持手段であるホルダで、全体構成は図１４に示した通りであり、一対の係止部１５ａは各々弾力性を有する係止用爪部１５ｂと位置決め部１５ｃから成る。係止用爪部１５ｂには、その先端には固定ドラム１１の内部に係合するよう突起１５ｄと、係合孔１１ａに案内されるようにテーパ１５ｆが設けられている。位置決め部１５ｃには、その先端に係合孔１１ａに案内されるようにテーパ１５ｇと、係合孔１１ａに係合する際に用意に弾性変形するよう薄肉部１５ｅが設けられている。またホルダ１５の下端には、コネクタ１９との接続の際に良好に案内されるように複数のテーパ１５ｉが設けられている。
【００２０】
１６は回転ヘッドユニット１４を保持するシャーシで、シャーシ１６には回転ヘッドユニット１４の他、テープカセットのリールを回転させるためのリール台や、テープを走行させるためのポスト類が設けられている。１６ａはシャーシ１６の後部、１６ｂは位置決めピン１８ａを挿入しシャーシ１６の位置決めのためにシャーシ１６に設けられた位置決め孔である。
【００２１】
１７はシャーシ１６の下部に位置し各種電気回路を有する回路基板で、スペーサ１８の位置決めピン１８ａに対応する位置に孔１７ａが設けられている。１９は固定ドラム１１の下部に位置しフレキシブルＰ板１３が挿入され回路基板１７に半田付けされたコネクタである。１８ａはスペーサー１８の先端部分でありシャーシ１６の位置決めを行う位置決めピンで、その先端に位置決め孔１６ｂに確実に挿入可能なようにテーパ形状を有している。１８は回路基板１７及びシャーシ１６を保持するスペーサーである。
【００２２】
以上のように構成された本実施の形態の磁気記録再生装置について、その動作を説明する。
【００２３】
まず、磁気ヘッド（図示せず）を含む回転ドラム１２が回転することによって、回路基板１７→コネクタ１９→フレキシブルＰ板１３→回転トランスユニット（図示せず）→磁気ヘッド（図示せず）という経路で磁気テープ（図示せず）に映像・音声等の情報が記録される。また、記録済みの磁気テープ（図示せず）であれば、上述した逆の経路で記録情報を再生することができることは従来例と同様である。
【００２４】
次に、本装置の組立方法について説明する。
【００２５】
まず、図２に示すように一端が回転ヘッドユニット１４内の回転トランスユニット（図示せず）に電気的に接続され、他端が固定ドラム１１の下面から引き出されているフレキシブルＰ板１３を備えた回転ヘッドユニット１４において、フレキシブルＰ板１３の他端を、矢印Ａに示すようにホルダ１５の所定の位置に保持させる。ホルダ１５におけるフレキシブルＰ板１３の保持は、従来技術と同様に行われる。
【００２６】
次に図２の矢印Ｂに示すようにホルダ１５の上面２カ所に設けられた係止部１５ａを、固定ドラム１１の下面に係合する。その係合動作について図３〜図５を用いて詳述する。
【００２７】
図３は固定ドラム１１とホルダ１５の係止部１５ａとが係合する前の状態、図４は係合途中の状態、図５は係合後の状態を示している。まず図３に示すように固定ドラム１１の下面に設けられた係合孔１１ａと係止部１５ａとが離間した状態から、ホルダ１５を矢印Ｃ方向へ移動させる。次に、図４に示すように係止部１５ａを構成している係止用爪部１５ｂと位置決め部１５ｃの先端を係合孔１１ａに挿入する。この時、係止用爪部１５ｂは、係合孔１１ａの少なくとも下端に設けられたテーパ１１ｂと係止用爪部１５ｂの先端に設けられたテーパ１５ｆとによって係合孔１１ａに案内され、図示のように弾性変形しながら挿入される。次に、図５に示すように、係止部１５ａを係合孔１１ａの所定位置まで挿入すると係止部１５ａの弾性変形が復帰し、係止用爪部１５ｂの先端に設けられた突起１５ｄが固定ドラム１１の内部に係合する。それとともに位置決め部１５ｃにより、ホルダ１５の位置決めがなされる。本実施の形態では、ホルダ１５に２カ所の係止部１５ａを設けたので、２カ所の係止部１５ａをそれそれ対応する係合孔１１ａに係合させることで、ホルダ１５を固定ドラム１１の下面に保持することができる。
【００２８】
図１１は係合後の係合孔１１ａと係止部１５ａの状態を図１の矢印Ｙ５方向から見た図である。図示のように、係止用爪部１５ｂは下面側（または上面側）から見ると、突起１５ｄを除いた部分は略円弧状を成しており、係止用爪部１５ｂの先端に設けられたテーパ１５ｆも略円弧形状を有している。また位置決め部１５ｃも同様に下面側（または上面側）から見ると、略円弧形状を成しており、位置決め部１５ｃの先端に設けられたテーパ１５ｇも略円弧形状を成している。薄肉部１５ｅは、円弧形状部分と直線部分とを有している。
【００２９】
なお、前記説明では係止部１５ａと係合孔１１ａとの係合の際、係止用爪部１５ｂが弾性変形するような動作をするとしたが、位置決め部１５ｃに薄肉部１５ｅを設けており、係止部１５ａと係合孔１１ａとの係合の際、位置決め部１５ｃも弾性変形する構成としたことにより、例えホルダ１５が固定ドラム１１に対して図示左方向に変位した状態で係合させようとしても、位置決め部１５ｃの先端に設けられたテーパ１５ｇと薄肉部１５ｅの弾性変形により、係合しやすくなる。
【００３０】
次に、ホルダ１５を固定ドラム１１に保持した回転ヘッドユニット１４を、シャーシ１６上の所定位置に、ビスなどの固定手段により取り付ける。
【００３１】
次に、回路基板１７に設けられた孔１７ａに、位置決めピン１８ａを挿通し、回路基板１７をスペーサー１８の所定位置にて位置決めする。なお、回路基板１７に設けられた孔１７ａは、スペーサー１８にて位置決めされるような寸法を有している。位置決めされた回路基板１７は、ビスなどの固定手段により筐体（図示せず）に固定される。回路基板１７の所定位置にはコネクタ１９が半田付けにより固定されている。
【００３２】
次に、回転ヘッドユニット１４が取り付けられたシャーシ１６を、回路基板１７に取り付ける。その際、シャーシ１６に設けられた位置決め孔１６ｂに、位置決めピン１８ａを挿通し、スペーサー１８の所定位置（少なくとも回路基板１７よりも上部位置）に位置決めする。シャーシ１６に設けられた位置決め孔１６ｂは、少なくとも位置決めピン１８ａが挿通可能な大きさに設定してある。位置決めピン１８ａの先端は、シャーシ１６の位置決め孔１６ｂに確実に挿入されるように、図示のようにテーパ形状が設けられている。
【００３３】
シャーシ１６を回路基板１７に取り付ける際、回路基板１７上におけるホルダ１５に対応する位置にコネクタ１９が配されており、シャーシ１６を位置決めピン１８ａにより位置決めされる際に、図２の矢印Ｄに示すように移動しホルダ１５とコネクタ１９とが係合し、ホルダ１５に保持されたフレキシブルＰ板１３がコネクタ１９の端子部に電気的接続される。ここで、ホルダ１５の下端にはコネクタ１９に確実に係合されるように、テーパ１５ｉ（図１４参照）が設けられている。
【００３４】
ここで、シャーシ１６を回路基板１７に取り付ける際の、ホルダ１５の動きについて図６〜図９を用いて詳述する。
【００３５】
図６はホルダ１５が係合された回転ヘッドユニット１４とコネクタ１９とが係合する前の状態を示す側面図、図７は係合途中の状態、図８も係合途中の状態を示しホルダ１５の位置がコネクタ１９によって変位した後の状態、図９は係合完了状態を示す。なお、図６〜図９は説明をわかりやすくするために、シャーシなどの構成は省いて描画した。
【００３６】
ホルダ１５は回転ヘッドユニット１４の下面に配され、また回転ヘッドユニット１４はシャーシ（図示せず）に固定されているため、ホルダ１５をコネクタ１９に係合させる際は、回転ヘッドユニット１４の上方側からは、ホルダ１５とコネクタ１９の位置は、図１によって前述したようにシャーシと位置決めピンとの係合によりある程度位置決めされたとしても、正確な位置を把握するのは困難である。よって図６に示すように回転ヘッドユニット１４とホルダ１５の係合前では、互いに左右・前後方向位置がずれる（例えば図６の寸法ｄ）ケースが多く発生する。
【００３７】
まず、図６の状態から、ホルダ１５が係合した回転ヘッドユニット１４を矢印Ｅ方向へ移動させ、図７（ａ）に示すようにホルダ１５の下端に設けられたテーパ１５ｉをコネクタ１９の上端に当接させる。
【００３８】
さらに回転ヘッドユニット１４を矢印Ｇ方向へ移動させると、ホルダ１５はテーパ１５ｉによりコネクタ１９と係合するように、矢印Ｆ方向へ移動して案内され、図８の状態になる。なおこの時、図７（ｂ）に示すように、ホルダ１５の係止用爪部１５ｂ及び位置決め部１５ｃに弾力性を持たせているため、ホルダ１５が矢印Ｆ方向へ移動すると、係止用爪部１５ｂが係合孔１１ａの内面に当接して、さらに矢印Ｆ方向へ移動することにより図７（ｂ）に示すように矢印Ｉ方向へ弾性変形する。これによりホルダ１５とコネクタ１９との相対位置ズレを吸収している。なお図７（ｂ）では、係止用爪部１５ｂを弾性変形させているが、ホルダ１５が矢印Ｆとは反対方向へ移動したとしても、位置決め部１５ｃが係合孔１１ａの内面に当接して弾性変形することにより、同様にホルダ１５とコネクタ１９との相対位置ズレを吸収できる。
【００３９】
ホルダ１５が固定ドラム１１に対して矢印Ｆ方向に変位しても、シャーシ１６に対する固定ドラム１１を含む回転ヘッドユニット１４の位置は変わらない。回転ヘッドユニット１４の位置が変わると、回転ヘッドユニット１４に巻回すテープのパスなどに悪影響を及ぼすため、ホルダ１５の横方向の変位量は、回転ヘッドユニット１４の位置が変わらない範囲で、なおかつ図６の寸法Ｄに示すような取付誤差を考慮して設定される。
【００４０】
図８の状態から回転ヘッドユニット１４をさらに矢印Ｈ方向へ移動させると、図９に示す状態となり、ホルダ１５とコネクタ１９とが係合しながら、ホルダ１５に保持されたフレキシブルＰ板１３とコネクタ１９内の端子とが電気的接続される。図１０はホルダ１５及びフレキシブルＰ板１３とコネクタ１９との係合完了状態を横から見た断面図であり、図１のＹ３−Ｙ４部の断面である。
【００４１】
このように、固定ドラム１１に一対の係合孔１１ａを設け、ホルダ１５に弾力性を有する一対の係止部１５ａを設けた構成により、係合孔１１ａと係止用爪部１５ｂで固定ドラム１１に対してホルダ１５を保持し、係合孔１１ａと位置決め部１５ｃで固定ドラム１１に対してホルダ１５を位置規制する。そして、係止用爪部１５ｂと位置決め部１５ｃは弾力性を有するため、フレキシブルＰ板１３とコネクタ１９の相対的な位置がずれても、この弾力性でホルダ１５が固定ドラム１１に対して移動可能であり、フレキシブルＰ板１３とコネクタ１９の相対的な位置ずれを吸収し、フレキシブルＰ板１３を確実にコネクタ１９に挿入することができる。
【００４２】
以上のように本実施の形態によれば、ホルダ１５の係止部１５ａを弾性変形可能な構成にすることにより、本装置の組立時、ホルダ１５及びフレキシブルＰ板１３とコネクタ１９との相対的な位置がずれても、フレキシブルＰ板１３をコネクタ１９に確実に挿入することができる。
【００４３】
よって、フレキシブルＰ板１３を挿入するコネクタ１９を固定ドラム１１下部に配置することが可能で、これにより回路基板１７上においてシャーシ１６よりも外側へコネクタ１９を配置するスペースが必要なく、回路基板１７の小型化を実現し、さらには本装置の小型化を行うことができる磁気記録再生装置を得ることができる。
【００４４】
（実施の形態２）
図１２は本発明の磁気記録再生装置において、固定ドラムとホルダとの係合部分を一部切り欠いた構成を示す下面図である。図において、前述の実施の形態１の同様の構成要素については同一番号を付与して詳しい説明を省略する。１５ｊはホルダ１５に設けられた切り欠き部、１１ａ−１は切り欠き部１５ｊによって目視可能となった係合孔１１ａの一部である可視部である。
【００４５】
以上のように構成された本実施の形態について、以下その動作について説明する。
【００４６】
前述の実施の形態１の要領でホルダ１５を固定ドラム１１に装着後、固定ドラム１１に傷等の不良を発見した場合、固定ドラム１１を含む回転ヘッドユニット１４を本装置から取り外さなければならない。その手順は実施の形態１で説明した組立手順の逆手順で行う。そして最終的に固定ドラム１１にはホルダ１５が係合した状態となる。実施の形態１の構成では、ホルダ１５を固定ドラム１１に係合させた状態では、係止用爪部１５ｂが外部から目視できない状態となっているため、固定ドラム１１からホルダ１５を取り外すのは困難である。
【００４７】
そこで本実施の形態では図１２に示すように、係止部根元ベース部１５ｈの一部に切り欠き部１５ｊを設け、固定ドラム１１の係合孔１１ａの一部を目視可能にした可視部１１ａ−１を設けた。
【００４８】
そして可視部１１ａ−１にマイナスドライバ状の治具を挿入し、係止用爪部１５ｂを位置決め部１５ｃ側に倒しながら係止部１５ａ全体を係合孔１１ａから引き抜けば、容易にホルダ１５を固定ドラムから取り外すことが可能で、不良が発生した固定ドラムを不良が無い固定ドラムと交換し、前述のように取り外したホルダ１５を再利用することができる。
【００４９】
なお本実施の形態では、図１２に示すように係合孔１１ａの一部を目視可能にするために係止部根元ベース部１５ｈに切り欠き部１５ｊを設けた構成としたが、切り欠きを設けるのではなく、図１３に示すように、予め係合孔１１ａの一部が目視可能なような形状とする構成でもよい。
【００５０】
以上のように本実施の形態によれば、ホルダ１５を固定ドラム１１に装着後、固定ドラム１１に部品不良があった場合でも、ホルダ１５の係止部根元ベース部１５ｈの一部を切り欠き、係合孔１１ａの一部を可視できるようにしたことにより、この可視部１１ａ−１にマイナスドライバ等の治具を挿入し、ホルダ１５を固定ドラム１１から容易に取り外しすることができ、固定ドラムの交換後、ホルダを再利用することが可能である。
【００５１】
【発明の効果】
以上のように本発明は、固定ドラムに脱着可能なホルダを設け、このホルダで保持したフレキシブルＰ板を固定ドラム下部に配置したコネクタに確実に挿入できることで、回路基板の小型化を実現し、さらには本装置の小型化を行うことができるという優れた効果が得られる。
【００５２】
また、ホルダを固定ドラムから容易に取り外しすることができ、固定ドラムの交換後、ホルダを再利用することが可能である。
【図面の簡単な説明】
【図１】本発明の実施の形態１における磁気記録再生装置の後部側面図
【図２】同実施の形態の回転ヘッドユニットとホルダとコネクタと回路基板の分解斜視図
【図３】同実施の形態における固定ドラムとホルダの係合動作を示す要部側面図
【図４】同実施の形態における固定ドラムとホルダの係合動作を示す要部側面図
【図５】同実施の形態における固定ドラムとホルダの係合動作を示す要部側面図
【図６】同実施の形態におけるホルダが係合した回転ヘッドユニットとコネクタとの係合動作を示す側面図
【図７】（ａ）同実施の形態におけるホルダが係合した回転ヘッドユニットとコネクタとの係合動作を示す側面図（ｂ）同実施の形態における係止用爪部の弾性変形状態を示す要部断面側面図
【図８】同実施の形態におけるホルダが係合した回転ヘッドユニットとコネクタとの係合動作を示す側面図
【図９】同実施の形態におけるホルダが係合した回転ヘッドユニットとコネクタとの係合動作を示す側面図
【図１０】同実施の形態における図１のＹ３−Ｙ４断面図
【図１１】同実施の形態における図１における矢印Ｙ５方向から見た固定ドラムの要部下面図
【図１２】同実施の形態における図１における矢印Ｙ５方向から見た固定ドラムの要部下面図
【図１３】同実施の形態における図１における矢印Ｙ５方向から見た固定ドラムの要部下面図
【図１４】同実施の形態におけるホルダの全体構成を示す斜視図
【図１５】従来の磁気記録再生装置の後部側面図
【図１６】図１５のＹ１−Ｙ２断面図
【符号の説明】
１１  固定ドラム
１１ａ    係合孔
１１ａ−１  係合孔１１ａの可視部
１２    回転ドラム
１３  フレキシブルＰ板
１４  回転ヘッドユニット
１５  ホルダ
１５ａ  係止部
１５ｂ  係止用爪部
１５ｃ  位置決め部
１５ｄ  係止部根元ベース部
１６  シャーシ
１７  回路基板
１８  スペーサー
１９  コネクタ
【図１】
2004178730.tif 000003
【図２】
2004178730.tif 000004
【図３】
2004178730.tif 000005
【図４】
2004178730.tif 000006
【図５】
2004178730.tif 000007
【図６】
2004178730.tif 000008
【図７】
2004178730.tif 000009
【図８】
2004178730.tif 000010
【図９】
2004178730.tif 000011
【図１０】
2004178730.tif 000012
【図１１】
2004178730.tif 000013
【図１２】
2004178730.tif 000014
【図１３】
2004178730.tif 000015
【図１４】
2004178730.tif 000016
【図１５】
2004178730.tif 000017
【図１６】
2004178730.tif 000018